(57)【要約】【課題】熱交換器のシールド板の外れを防止する。【解決手段】筐体上部の吸込口７と、同筐体下部の吹出口８とを結ぶ送風経路１３に、着脱自在な複数のエアーフィルタ１０と、前記送風経路の前面および背面にそれぞれ対向するように分割形成された逆Ｖ字形の熱交換器４と、熱交換された空気を送出する送風ファン５等を配置すると共に、前記熱交換器の分割面の、前記前側熱交換器と後側熱交換器の間を閉じるシールド板１８を設けてなる空気調和機の室内ユニットに於いて、前記エアーフィルタが接触するシールド板の横方向の略中央にはシールド板外れ防止用のリブ２１を形成したものである。【選択図】図２
2009198012.tif 000002
【特許請求の範囲】
【請求項１】
筐体上部の吸込口と、同筐体下部の吹出口とを結ぶ送風通路に、着脱自在な複数のエアーフィルタと、前記送風通路の前面および背面にそれぞれ対向するように分割形成された逆Ｖ字形の熱交換器と、熱交換された空気を送出する送風ファン等を配置すると共に、前記熱交換器の分割面に、前記前側熱交換器と後側熱交換器の間を閉じるシールド板を設けてなる空気調和機の室内ユニットに於いて、前記エアーフィルタが接触するシールド板の横方向の略中央にはシールド板外れ防止用のリブを形成したことを特徴とする空気調和機の室内ユニット。
【請求項２】
前記筐体上部と熱交換器の隙間寸法と前記リブの高さを略同一としたことを特徴とする空気調和機の室内ユニット。
【発明の詳細な説明】
【技術分野】
【０００１】
この発明は家庭用でセパレート式の空気調和機の室内ユニットに関する。
【背景技術】
【０００２】
空気調和機の室内ユニットの筐体は、本体と、この本体に着脱可能に被せられる前面カバーとで構成されており、この筐体の上部には室内空気を取り込むための吸込口が設けられ、前面下部には熱交換された空気を室内に送出するための吹出口が形成されている。これら吸込口と吹出口とを結ぶ空気通路内には、吸込口寄りに着脱自在に設けられたエアーフィルタと、前記本体側と前面カバーにそれぞれ対向するように分割形成された逆Ｖ字形の熱交換器と、この熱交換器の下部に配置された送風機（クロスフローファン）等があり、熱交換器により熱交換された空気は送風機によって室内に送出されるようになっている。また、熱交換器の分割面にはエアーフィルタを案内するフィルターガイド部を備えたシールド板を設けてエアーフィルタが熱交換器のフィンに触れるのを防止し、エアーフィルタの着脱が容易にできるようにすると共に、熱交換に役立たない空気の通過を防止するようにしている。（例えば特許文献１参照）
【特許文献１】実用新案登録第２５３２４４１号公報
【発明の開示】
【発明が解決しようとする課題】
【０００３】
ところでこの従来のものは、通常の使用では問題ないが、流通段階での輸送時等に強い衝撃が梱包状態の製品に加えられた場合、前側熱交換器と後側熱交換器を接続するシールド板が外れてしまうことで、熱交換器を通過しない空気が多くなり熱交換効率が低下する問題があった。
また、通風経路に熱交換しない空気の層ができることで、送風経路に部分的に結露が発生して吹出口から飛び出すような水漏れクレームが発生する問題があった。
【課題を解決するための手段】
【０００４】
この発明はこの点に着目し上記欠点を解決する為、特にその構成を、筐体上部の吸込口と、同筐体下部の吹出口とを結ぶ送風通路に、着脱自在な複数のエアーフィルタと、前記送風通路の前面および背面にそれぞれ対向するように分割形成された逆Ｖ字形の熱交換器と、熱交換された空気を送出する送風ファン等を配置すると共に、前記熱交換器の分割面に、前記前側熱交換器と後側熱交換器の間を閉じるシールド板を設けてなる空気調和機の室内ユニットに於いて、前記エアーフィルタが接触するシールド板の横方向の略中央にはシールド板外れ防止用のリブを形成したものである。
【発明の効果】
【０００５】
この発明によれば、流通段階での輸送時等に強い衝撃が梱包状態の製品に加えられた場合でも、シールド板に備えたリブによってシールド板が外れることがなくなることで、熱交換効率の低下や吹出口から結露水が飛び出すようなことが防止されるものである。
【発明を実施するための最良の形態】
【０００６】
次に、この発明に係る空気調和機を図面に示された一実施例で説明する。１はセパレート式空気調和機の室内ユニットで、本体ベース２と前方の前面パネル３によって筐体を形成し、この筐体内には熱交換器４と送風ファン５等を備えている。
前記前面パネル３の更に前面は着脱自在のオープンパネル６によって覆われている。
【０００７】
また前面パネル３は上面に上吸込口７を、底面に吹出口８を備え、前記オープンパネル６の前面上部に前吸込口９を設けている。
前記吸込口７・９の内側には網目状で着脱自在のエアーフィルタ１０を左右１対備え、吸込空気に含まれる埃を取り除くものである。
前記熱交換器４はオープンパネル６に対向する前側熱交換器１１と、上吸込口７から本体ベース２に向かって傾斜して配置された後側熱交換器１２とから成るものである。
【０００８】
前記前側熱交換器１１は左エンドプレート１１ａと右エンドプレート１１ｂの間に多数のアルミニウム薄板１１ｃに銅パイプ１１ｄを貫通した後、この銅パイプの拡管と銅パイプ端部の溶接を行い形成するフィンチューブ式の熱交換器を使用するものであり、冷房運転時には蒸発器として低温になり、暖房運転時には凝縮器として高温となるものである。
前記後側熱交換器１２も左エンドプレート１２ａと右エンドプレート１２ｂの間に多数のアルミニウム薄板１２ｃに銅パイプ１２ｄを貫通した後、この銅パイプの拡管と銅パイプ端部の溶接を行い形成するフィンチューブ式の熱交換器を使用するものである。
【０００９】
また前記前側熱交換器１１の後側下方で右エンドプレート１１ｂに設けた下舌部１１ｆと後側熱交換器１２の前側下方に設けた下舌部１２ｆに設けた取付穴に右側方向より樹脂製の右取付板（図示せず）がネジ止めにて固定されている。
前記送風ファン５はクロスフローファンで、それぞれの熱交換器１１・１２の内側に配置され、前記吸込口７・８とエアーフィルタ１０と熱交換器４と送風ファン５を連通して送風経路１３を形成している。
【００１０】
前記本体ベース２の後側熱交換器１２下方には結露水を集めて排水する背面ドレンパン１４と、この背面ドレンパン１４と送風ファン５の送風をスムーズに吹出口８へ導くケーシング１５を一体に設けている。
１６は前記前側熱交換器１１の下方に備えた前部ドレンパンで、結露水を集めるために断面Ｕ字形に形成され、前記背面ドレンパン１４からの結露水を受けるために、左右の両端は背面ドレンパン１４に向かって延長されている。前記前部ドレンパン２２の底面はケーシング１５に対向して送風ファン５のエアーガイダー１７を一体に設け、ケーシング１５との間に前記送風経路１３を形成している。
【００１１】
１８は逆Ｖ字型に配置された、前記前側熱交換器１１と後側熱交換器１２の上部を閉塞するシールド板で、二つの熱交換器の間が開放されて熱交換されない空気が通過し、熱交換率を低下させるので、この無駄な空気の通過を防止するためのシールド板１８を設けている。このシールド板１８は樹脂成形品で、上部にはエアーフィルタ１０を案内し、下部には熱交換器４のアルミニウム薄板１１ｃ・１２ｃに挿通されている銅パイプ１１ｄ・１２ｄに係止させるための複数の係止片２０が所定の間隔で両側に設けられている。これら係止片２０はアルミニウム薄板どおし間の隙間に挿入されるため厚みにも制限があり約１ｍｍ程度となっている。
【００１２】
図４に示すように、前記リブ２１と前面パネル３内面の隙間寸法ｂを、リブ２１に対応する係止片２０の銅管係止寸法ａよりも小さくすることで、シールド板１８の外れを防止するものである。
【００１３】
さらに、このシールド板１８の横方向の略中央には外れ防止用のリブ２１が設けられ、このリブ２１は左右に摺動自在に装着するエアーフィルタ１０の着脱の妨げにならない位置に形成され、前面パネル３上部と熱交換器４の隙間寸法と前記リブ２１の高さを略同一としたことで、流通段階での輸送時等に強い衝撃が梱包状態の製品に加えられた場合でも、シールド板１８の係止片２０が外れて、前後の熱交換器１１・１２の間に隙間が出来て、熱交換器４を通過しない空気が多くなり熱交換効率が低下したり、送風経路１３に熱交換しない空気の層ができることで、送風経路１３に部分的に結露が発生して吹出口８から飛び出すような水漏れクレームが発生することがなくなるものである。
また、リブ２１は中央だけでなくシールド板１８の左右端に設ければ、更にシールド板１８の外れにくくするものである。
【００１４】
また、前記複数の係止片２０で前後の熱交換器１１・１２を固定することにより、熱交換器製造時に発生した熱交換器の厚さ方向の歪みを矯正することで、組み付け寸法の管理が容易になるものである。
２２は上下風向板で上下の送風方向を調節し、運転停止時には自動的にルーバモータ（図示せず）にて吹出口８を閉じるものである。
【００１５】
このように、流通段階での輸送時等に強い衝撃が梱包状態の製品に加えられた場合でも、シールド板に備えたリブによってシールド板が外れることがなくなることで、熱交換効率の低下や吹出口から結露水が飛び出すようなことが防止されるものである。
【図面の簡単な説明】
【００１６】
【図１】この発明一実施例の側面の断面図。
【図２】同熱交換器にシールド板を取付た状態の斜視図。
【図３】同シールド板とエアーフィルタを表す斜視図。
【図４】同要部の部分断面図。
【符号の説明】
【００１７】
２    本体ベース
３    前面パネル
１０    エアーフィルタ
１１    前側熱交換器
１２    後側熱交換器
１８    シールド板
２０    係止片
２１    リブ
【図１】
2009198012.tif 000003
【図２】
2009198012.tif 000004
【図３】
2009198012.tif 000005
【図４】
2009198012.tif 000006